(57)【要約】【課題】支持体への保護部材の取付作業が容易で、かつハーネスの接続作業を長期間にわたって容易に行うことができるようにする。【解決手段】画像形成装置１００の背面パネル１１０の開口１１１に装着される保護部材１を、蓋部１１、縁部１２、複数の保持部１３を一体に形成した樹脂製の板状体とした。保護部材１は、縁部１２で背面パネル１１０に固定される。蓋部１１は、開口１１１よりも小さい形状を呈している。縁部１２は、外形が開口１１１よりも大きく、蓋体１１の外側に間隙１４を設けて位置する。複数の保持部１３は、それぞれが間隙１４に位置して縁部１２と蓋部１１とを接続する。【選択図】図３
2012220537.tif 000002
【特許請求の範囲】
【請求項１】
ハーネスが貫通する前記本体電気機器の支持体の開口に装着される保護部材を備えた電気機器の配線構造であって、
前記保護部材は、蓋部、縁部、保持部を一体的に形成した樹脂製の板状体であり、前記縁部で前記支持体に固定され、
前記蓋部は、外形が前記開口よりも小さく、
前記縁部は、外形が前記開口よりも大きく、前記蓋体の周囲に間隔を設けて位置し、
前記保持部は、前記間隔に位置して前記蓋部と前記縁部とを接続する、電気機器の配線構造。
【請求項２】
前記縁部は、それぞれが下方に開放した複数の係止部を備え、前記支持体に螺合するネジが挿通する少なくも１つの取付孔を有する請求項１に記載の電気機器の配線構造。
【請求項３】
請求項１又は２に記載の電気機器の配線構造を備えた前記本体電気機器としての画像形成装置であって、支持体における外部電気機器が選択的に装着される位置に、前記開口を形成した画像形成装置。
【発明の詳細な説明】
【技術分野】
【０００１】
この発明は、画像形成装置等の電機機器に外部電気機器を装着する際の配線構造、及びこの配線構造を備えた画像形成装置に関する。
【背景技術】
【０００２】
画像形成装置等の本体電気機器では、周辺装置やオプション装置等のユニット化された外部電気機器を選択的に外付けされる。外部電気機器に直接電源を供給すると、本体電気機器の周辺に配線が錯綜する。そこで、本体電気機器に外付けされる外部電気機器に対して本体電気機器から電源を供給するようにしたものがある。
【０００３】
外部電気機器に電源を供給するためのハーネスは、本体電気機器の支持体に形成された開口を貫通して背面等から外部に露出した後に、外部電気機器に接続される。支持体は板金で構成されている場合が多いため、支持体の開口のエッジ部との接触によってハーネスが損傷すると、外部電気機器に電源を供給できなくなる場合や漏電による事故を発生する可能性がある。
【０００４】
従来の電気機器の配線構造として、支持体の開口に薄い樹脂材料または弾性フィルムで形成された保護部材を支持体の開口に配置するようにしたものがある（例えば、特許文献１又は２参照。）。保護部材に形成された保持部にハーネスを保持させることで、開口のエッジ部とハーネスとの接触を防止する。
【先行技術文献】
【特許文献】
【０００５】
【特許文献１】特開２００５−０３２９５４号公報
【特許文献２】特開２０１０−２５６６９７号公報
【発明の概要】
【発明が解決しようとする課題】
【０００６】
しかし、特許文献１に記載された構成では、保護部材であるハーネスクランプに直線状の切込み線が重なって形成されるため、部品の折損を発生しやすい。また、ハーネスクランプを用いた配線作業は、ハーネスをハーネスクランプの挿通口及び支持体の開口に貫通させて外部電気機器に接続した後に、ハーネスクランプを支持体に固定することになる。このため、ハーネスクランプを支持体に固定するまではハーネスを開口のエッジ部から保護することができない。さらに、ハーネスの交換時には、支持体からハーネスクランプを取り外す必要がある。
【０００７】
特許文献２に記載された構成では、保護部材である弾性体フィルムが、経時変化によって変形や破損を生じる可能性が高く、ハーネスの交換時に支持体から剥がれ易い問題がある。
【０００８】
この発明の目的は、支持体への保護部材の取付作業が容易で、かつハーネスの接続作業を長期間にわたって容易に行うことができる電気機器の配線構造、及びこの配線構造を備えた画像形成装置を提供することにある。
【課題を解決するための手段】
【０００９】
この発明の電気機器の配線構造は、ハーネスが貫通する本体電気機器の支持体の開口に装着される保護部材であって、蓋部、縁部、保持部を一体に形成した樹脂製の板状体である保護部材を備えている。保護部材は、縁部で支持体に固定される。蓋部は、開口よりも小さい形状を呈している。縁部は、外形が開口よりも大きく、蓋体の外側に間隔を設けて位置する。保持部は、間隔に位置して縁部と蓋部とを接続する。
【００１０】
この構成では、本体電気機器の支持体の開口が保護部材によって被覆され、本体電気機器に外部電気機器を外付けしない場合に開口から本体電気機器内への塵埃の侵入が防止される。本体電気機器に外部電気機器を外付けする場合には、保護部材から保持部とともに蓋体を除去することで開口の一部が開放される。外部電気機器に接続されるハーネスは、樹脂製の縁部の内側を通過し、開口のエッジ部に接触することがない。
【００１１】
この構成において、縁部は、それぞれが下方に開放した複数の係止部を備え、支持体に螺合するネジが挿通する少なくも１つの取付孔を有するものとすることが好ましい。保護部材を支持体の開口部に上方から下方に移動させて装着した後、ネジを介して固定することができる。
【発明の効果】
【００１２】
この発明によれば、保護部材を支持体の開口に容易に取り付けることができ、蓋部を複数の保持部とともに除去することによって、ハーネスを開口のエッジ部に接触させることなく繰り返し支持体を通過させることができる。
【図面の簡単な説明】
【００１３】
【図１】本発明の実施形態に係る画像形成装置の背面側の外観図である。
【図２】外部電気機器を外付けした状態の同画像形成装置の背面側の外観図である。
【図３】（Ａ）〜（Ｅ）は、この発明の実施形態に係る保護部材の平面図、正面図、底面図、側面図及び側面断面図である。
【図４】蓋部及び保持部を除去した同保護部材の正面図である。
【発明を実施するための形態】
【００１４】
図１に示すように、この発明の実施形態に係る画像形成装置１００は、画像読取部１０１、画像形成部１０２、給紙部１０３、電源部１０４を備えている。画像読取部１０１は、原稿の画像を読み取る。給紙部１０３は、画像形成部１０２に用紙を給紙する。画像形成部１０２は、用紙に対する画像形成を行う。電源部１０４は、画像読取部１０１、画像形成部１０２、給紙部１０３に電源を供給する。
【００１５】
画像読取部１０１、画像形成部１０２、給紙部１０３に対して画像形成装置１００は、背面パネル１１０に開口１１１を備えている。背面パネル１１１は、この発明の支持体であり、金属製の板材をプレス加工によって所定の形状に形成したものである。開口１１１には、この発明の保護部材１が取り付けられている。保護部材１は、開口１１１を被覆し、画像形成装置１００の内部への塵埃の侵入を防止する。
【００１６】
図２に示すように、画像形成装置１００には、この発明の外部電気機器である空気清浄装置２００が選択的に外付けされる。空気清浄装置２００は、装着部２１０を背面パネル１１１にネジ止めされ、画像形成装置１００内の電源部１０４から図示しないハーネスを介して電源の供給を受ける。背面パネル１１１において装着部２１０が取り付けられる位置に開口１１１が形成されている。このため、画像形成装置１００に空気清浄装置２００を外付けすると開口１１１が装着部２１０によって被覆される。
【００１７】
図３に示すように、この発明の実施形態に係る保護部材１は、蓋部１１、縁部１２及び複数の保持部１３を一体に形成した樹脂製の板状体である。蓋部１１と縁部１２との間には、全周にわたって間隙１４が形成されている。間隙１４は、この発明の間隔に相当する。複数の保持部１３は、間隙１４に配置されており、蓋部１１と縁部１２とを接続している。したがって、蓋部１１は、縁部１２の内側に配置されている。
【００１８】
蓋部１１の外形は、開口１１１よりも小さい。縁部１２の外形は、開口１１１よりも大きい。縁部１２は、左右側部にそれぞれ係止部１２１を備え、下側部に２箇所に係止部１２２を備えている。係止部１２１，１２２は、何れも背面側に突出し、かつ下方に開放している。縁部１２は、上側部に取付孔１２３を備えている。複数の保持体１３のそれぞれは、水平方向の断面積が小さく、カッタ等の工具で容易に切断できる。なお、蓋部１１の外側に間隔を設けて縁部１２を配置し、この間隔の全域にわたって薄肉の保持部１３を配置することもできる。
【００１９】
図４に示すように、保護部材１は、縁部１２の係止部１２１を開口１１１の凹部１１２に外側から内側に向かって挿入させた後、下方に移動させることで、係止部１２１、１２２を開口１１１の周縁部に係止させて背面パネル１１０に装着される。この後、孔部１２３に挿通させたネジ１２５を背面パネル１１０に形成されているネジ孔に螺合させることで、保護部材１を背面パネル１１０に容易に固定することができる。
【００２０】
画像形成装置１００に空気清浄装置２００を外付けする場合には、縁部１２から保持部１３を切除し、蓋部１１を保持部１３とともに除去する。縁部１２の内側に貫通孔１５が形成され、画像形成装置１００の電源部１０４から空気清浄装置２００へ電源を供給するためのケーブルを貫通させることができる。
【００２１】
図３に示すように、縁部１２の内周部は、少なくとも外側が丸められており、ケーブルは樹脂製の縁部１２に接触することはあっても、板金で構成された背面パネル１１０の開口１１１のエッジ部に接触することがない。このため、画像形成装置１００の移動時及び点検時、並びにケーブルの交換時等に貫通孔１５に対するケーブルの貫通作業を繰り返してもケーブルが開口１１１のエッジ部に接触することによる損傷を生じることがない。
【００２２】
なお、画像形成装置１００に外付けされる外部電気機器は、空気清浄装置２００に限るものではなく、ディスプレイ等画像形成装置１００の電源部１０４から電源の供給を受ける他の装置に適用することができる。また、ケーブルは、電源を供給するものに限らず、信号ラインを含むものであってもよい。
【００２３】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００２４】
１−保護部材
１１−蓋部
１２−縁部
１３−保持部
１４−間隙（間隔）
１００−画像形成装置（本体電気機器）
１１０−背面パネル（支持体）
１１１−開口
２００−空気清浄装置（外部電気機器）
【図１】
2012220537.tif 000003
【図２】
2012220537.tif 000004
【図３】
2012220537.tif 000005
【図４】
2012220537.tif 000006